(57)【要約】【課題】後付け設置作業が必要ない鳥の営巣を防止できる防巣構造付き腕金を提供する。【解決手段】中空の角パイプ状になされ且つ両端部に開口５が形成された腕金本体部１を有する防巣構造付き腕金Ｗであって、腕金本体部１の両端部には、それぞれ、開口５を塞ぐ板状の防巣部３が、本体部１と一体的に形成されている。【選択図】図２
2015119562.tif 000002
【特許請求の範囲】
【請求項１】
中空の角パイプ状になされ且つ両端部に開口が形成された腕金本体部を有する防巣構造付き腕金であって、
前記本体部の両端部には、それぞれ、前記開口を塞ぐ板状の防巣部が、該本体部と一体的に形成されていることを特徴とする防巣構造付き腕金。
【請求項２】
前記本体部は、上面、下面及び両側面を有しており、
前記防巣部は、前記本体部の４面のうちの、相対向する２面の端部から延びる一対の板片を屈曲して形成されたものであることを特徴とする請求項１記載の防巣構造付き腕金。
【請求項３】
前記本体部は、上面、下面及び両側面を有し、
前記防巣部は、前記本体部の４面のうちの、いずれか１面の端部から延びる板片を屈曲して形成されたものであることを特徴とする請求項１記載の防巣構造付き腕金。
【発明の詳細な説明】
【技術分野】
【０００１】
本発明は、鳥の営巣を防止する構造が設けられた防巣構造付き腕金に関する。
【背景技術】
【０００２】
架空送配電線用の電柱等に設置され、架空送配電線を架設するための腕金は、鳥類に営巣されやすい環境になっており、現実的に、多くの巣が作られ、停電や機器故障などの鳥害を発生させている。
【０００３】
上記のような鳥害を防止する対策として、従来から種々の対策が提案されており、例えば、特許文献１には、電柱に設置された腕金の上面部に、後付けで、鳥類防止具を設置することが提案されている。
【０００４】
特許文献１に記載の鳥類防止具は、所定形状に整形された複数の線状部材と、複数の線状部材が噴水状に展開するように一端を束ねて屋外構造物に取り付ける取付具とを有し、各線状部材に弾性部分が形成され、弾性部分よりも自由端側部分が外部から加わる力や荷重により変位し易くなっている。
この構成によれば、複数の線状部材が噴水状に展開して屋外構造物の上面及び上方空間を塞いでいるので、鳥類は屋外構造物に接近したり、その上面に止まることが困難になり、屋外構造物の上面での営巣などが防止できる。
【先行技術文献】
【特許文献】
【０００５】
【特許文献１】特開２００７−１６７０４３号公報
【発明の概要】
【発明が解決しようとする課題】
【０００６】
しかしながら、上述した従来技術の鳥類防止具は、電柱等の高度な位置に取り付けられた腕金等に後付けで設置されるものであり、現場での設置作業が面倒で作業負担が大きいという技術的課題を有している。また、従来技術の鳥類防止具は、複数の線状部材を備えた複雑な形状であるため製品コストが嵩むという技術的課題を有している。
また、上述した従来技術の鳥類防止具を腕金に設置した場合、腕金の上面部に鳥が止まることを防げるものの、腕金の端部開口から腕金の内部への鳥の侵入を防止できない。すなわち、上記鳥類防止具を腕金に設置しても、腕金の端部開口から内部に侵入可能な大きさの鳥（例えば、雀などの小鳥）の営巣を防止できない虞がある。
【０００７】
本発明は、上記技術的課題に鑑みてなされたものであって、後付け設置作業が必要ない鳥の営巣を防止する防巣構造付き腕金を提供することにある。
【課題を解決するための手段】
【０００８】
上記技術的課題を解決するためになされた本発明は、中空の角パイプ状になされ且つ両端部に開口が形成された腕金本体部を有する防巣構造付き腕金であって、前記本体部の両端部には、それぞれ、前記開口を塞ぐ板状の防巣部が、該本体部と一体的に形成されていることを特徴とする。
また、前記本体部は、上面、下面及び両側面を有しており、前記防巣部は、前記本体部の４面のうちの、相対向する２面の端部から延びる一対の板片を屈曲して形成されたものであってもよい。
また、前記本体部は、上面、下面及び両側面を有し、前記防巣部は、前記本体部の４面のうちの、いずれか１面の端部から延びる板片を屈曲して形成されたものであってもよい。
【０００９】
このように、本発明の防巣構造付き腕金は、腕金本体部の開口が板状の防巣部により覆われているため、腕金の内部への営巣が効果的に防止される。また、本発明は、腕金本体部の両端部の開口を塞ぐ板状の防巣部が、本体部と一体的に形成されているため、鳥類防止具を後付けで設置することなく、鳥の営巣を防止することができる。その結果、本発明の防巣構造付き腕金を用いることにより、後付けの鳥類防止具を設置する場合と比べ、作業負担が軽減されると共に、コスト（製品コスト、設置コスト）が低減される。
【発明の効果】
【００１０】
本発明によれば、後付け設置作業が必要ない鳥の営巣を防止する防巣構造付き腕金を提供することができる。
【図面の簡単な説明】
【００１１】
【図１】本実施形態の防巣構造付き腕金を説明するための模式図であり、（ａ）が防巣構造付き腕金の平面図を示し、（ｂ）が防巣構造付き腕金の正面図を示している。
【図２】本実施形態の防巣構造付き腕金の側面を示した模式図である。
【図３】図１に示すＢ１−Ｂ１部のＡ１−Ａ１線拡大端面図である。
【図４】本実施形態の変形例の防巣構造付き腕金の外観を示した模式図であり、（ａ）が防巣構造付き腕金の平面図を示し、（ｂ）が（ａ）に示すＢ２−Ｂ２部のＡ２−Ａ２線拡大端面図である。
【図５】本実施形態の変形例の防巣構造付き腕金の側面を示した模式図である。
【発明を実施するための形態】
【００１２】
以下、本発明の実施形態の防巣構造腕金を図１〜図３に基づいて説明する。
【００１３】
本実施形態の防巣構造付き腕金Ｗ１は、架空送配電線用の電柱等に設置され、架空送配電線を架設するために用いられるものであり、製造段階において、鳥の営巣を防止する防巣構造が設けられている。
【００１４】
図１〜３に示すように、防巣構造付き腕金Ｗ１は、中空の四角パイプ状になされ且つ両端部に開口５（図２参照）が形成された腕金本体部（以下、単に「本体部」）１を有している。具体的には、本体部１は、上面１ａ、下面１ｂ及び両側面１ｃ、１ｄを備えた断面視矩形の四角パイプ状に形成されている。
また、本体部１の両端部には、それぞれ、開口５を塞ぐ板状の防巣部３が、本体部１と一体的に形成されている（本体部１と防巣部３とが、１つの角型鋼管から形成されている）。
なお、図示する例では、本体部１の断面が略正方形になっているが、これは一例に過ぎない。本体部１の断面が長方形に形成されていてもよい。
【００１５】
また、図２に示すように、防巣部３は、本体部１を構成する４面（上面１ａ、下面１ｂ、側面１ｃ、側面１ｄ）のうちの、相対向する２面（上面１ａ、下面１ｂ）の端部から延びる１対の矩形片（板片）３ａ・３ａを、各面（上面１ａ又は下面１ｂ）に対して略直角に屈曲して形成されたものであり、１対の矩形片３ａ・３ａにより、開口５が塞がれている（１対の矩形片３ａ・３ａは、端部同士が相対向して配置されている）。
【００１６】
また、本実施形態では、一方の矩形片３ａと、他方の矩形片３ａとの間に所定隙間Ｓ１が形成され、各矩形片３ａ・３ａと、本体部１・側面１ｃ、１ｄとの間に所定隙間Ｓ２が形成されるように矩形片３ａの大きさ寸法が設計されている。なお、隙間Ｓ１、Ｓ２の大きさ寸法は、雀などの鳥が通過して本体部１の内部に侵入できない程度の大きさ寸法であればよい。
また、矩形片３ａの基端部側（本体部１の上面ａ（又は下面１ｂ側））には、本体部１との境界部に沿った長孔３ａ１が形成されている。
本実施形態では、腕金本体部１の両端の開口５を完全に封鎖するのではなく、所定隙間Ｓ１、Ｓ２や長孔３ａ１を形成することにより、本体部１の内部（パイプ内部）に雨水などが貯まることを防止している。
【００１７】
このように、本実施形態によれば、本体部１の開口５が板状の防巣部３により覆われており、本体部１の内部に鳥が侵入できないようになっているため、本体部１の内部に鳥が営巣することを防止できる。
また、本実施形態によれば、本体部１の両端部の開口５を塞ぐ板状の防巣部３が、本体部１と一体的に形成されているため、現場において鳥類防止具を後付けで設置する必要がない。その結果、本実施形態の防巣構造付き腕金を用いることにより、後付けで鳥類防止具を設置する場合と比べ、作業負担が軽減されると共に、コスト（製品コスト、設置コスト）が低減される。
【００１８】
また、本実施形態の防巣構造付き腕金Ｗ１は、３次元レーザ加工機と、プレス加工機と、３次元レーザ加工機で加工した中間材をプレス加工機まで移動させてプレス加工機にセットする移動機構とを備えた自動製造ラインにおいて、以下の手順で製造することが望ましい。
【００１９】
具体的には、先ず、３次元レーザ加工機に定尺材（ＪＩＳに規定されている角型鋼管）をセットし、定尺材を３次元レーザ加工機により切断し、本体部１と、曲げ加工前の防巣部３（矩形片３ａ・３ａ）とが一体となった中間材を製作する（１つの定尺材から中間材を切り出す）。
次に、移動機構が、３次元レーザ加工機で製作されたた中間材をプレス加工機まで移動させて、中間材をプレス加工機にセットする。
次に、プレス加工機が中間材の曲げ加工前の防巣部３（矩形片３ａ・３ａ）を折り曲げる曲げ加工を行い、図１〜３に示す防巣構造付き腕金Ｗが製造される。
【００２０】
本実施形態の防巣構造付き腕金Ｗ１は、本体部１と防巣部３とが一体型の構造になっている。そのため、上記の３次元レーザ加工機を備えた自動製造ラインにより、中間材製作工程と、曲げ加工工程とを連続して行い、自動的に防巣構造付き腕金Ｗ１を製造することができる。また、３次元レーザ加工機を用いることにより、１つの定尺材（角型鋼管）から無駄なく中間材を切り出すことができ、材料の歩留まりを高めることができる。また、上記方法によれば、溶接を行う必要がないため（溶接により防巣部を本体部１に取り付ける必要がない）、作業が簡素化される。
すなわち、上記方法により、部品点数を減少させることができると共に、中間在庫品を無くすことができる。また、上記方法により、コスト（製造コスト、部品コスト）を減少させることができると共に、リードタイムを短縮することができる。
【００２１】
次に本実施形態の変形例について図４、５を参照しながら説明する。
なお、本変形例は、上述した実施形態と防巣部３の形状が異なる以外同じである。そのため、本変形例では、上述した実施形態と同じ構成及び相当する構成には同じ符号を用いて説明する。また、以下では、上述した実施形態と異なる部分だけを説明する。
【００２２】
図４、５に示すように、本変形例の防巣構造付きの腕金Ｗ２は、中空の四角パイプ状になされ且つ両端部に開口５（図５参照）が形成された本体部１を有している。また、本体部１の両端部には、それぞれ、開口５を塞ぐ板状の防巣部４が、本体部１と一体的に形成されている。
【００２３】
具体的には、図５に示すように、防巣部４は、本体部１を構成する４面（上面１ａ、下面１ｂ、側面１ｃ、側面１ｄ）のうちの、１面（上面１ａ）の端部から延びる矩形片（板片）４ａを、上面１ａに対して略直角に屈曲して形成されたものであり、矩形片４ａにより、開口５が塞がれている。
【００２４】
また、矩形片４ａと、本体部１・下面１ｂとの間には所定隙間Ｓ３が形成され、矩形片４ａと、本体部１・側面１ｃ、１ｄとの間には所定隙間Ｓ４が形成されるように矩形片４ａの大きさ寸法が設計されている。なお、隙間Ｓ３、Ｓ４の大きさ寸法は、雀などの鳥が通過して本体部１の内部に侵入できない程度の大きさ寸法であればよい。
また、矩形片４ａの基端部側（本体部１・上面ａ側）には、本体部１との境界部に沿った長孔４ａ１が形成されている。
【００２５】
このように、本変形例によれば、本体部１の開口５が板状の防巣部４により覆われているため、上述した実施形態と同様、本体部１の内部に鳥が営巣することが防止される。
また、本変形例によれば、本体部１の両端部の開口５を塞ぐ板状の防巣部４が、本体部１と一体的に形成されているため、現場において鳥類防止具を後付けで設置する必要がない。その結果、本変形例の防巣構造付き腕金Ｗ２を用いることにより、後付けで鳥類防止具を設置する場合と比べ、作業負担が軽減されると共に、コスト（製品コスト、設置コスト）が低減される。
【００２６】
尚、本発明は、上述した実施形態及び変形例に限定されるものではなく、その要旨の範囲内において種々の変更が可能である。
【００２７】
上述した実施形態では、防巣部３は、本体部１を構成する４面（上面１ａ、下面１ｂ、側面１ｃ、側面１ｄ）のうちの、相対向する２面（上面１ａ、下面１ｂ）の端部から延びる１対の矩形片３ａ・３ａを略直角に屈曲し形成されたものであるが特にこれに限定されるものではない。防巣部３が、本体部１の両側面１ｂ、１ｃの端部から延びる１対の矩形片３ａ・３ａを略直角に屈曲し形成したものであってもよい。
【００２８】
また、上述した変形例では、防巣部４は、本体部１を構成する４面（上面１ａ、下面１ｂ、側面１ｃ、側面１ｄ）のうちの、上面１ａの端部から延びる矩形片４ａを略直角に屈曲し形成されているが特にこれに限定されるものではない。防巣部４が、下面１や側面１ｃ、１ｄの端部から延びる矩形片４ａを略直角に屈曲し形成したものであってもよい。
【００２９】
また、矩形片３ａ、４ａに、鳥が侵入できない大きさの孔が複数形成されていたり、或いは、矩形片３ａ、４ａに、鳥が侵入できない大きさのスリットが複数形成されていたりしても良い。
【００３０】
また、防巣部３、４は、本体部１の開口５を覆うことができる形状であれば、矩形以外の形状であってもかまわない。
【符号の説明】
【００３１】
Ｗ１、Ｗ２…防巣構造付き腕金
１…腕金本体部
１ａ…上面（腕金本体部）
１ｂ…下面（腕金本体部）
１ｃ、１ｄ…側面（腕金本体部）
３…防巣部
３ａ…矩形片（防巣部）
３ａ１…長孔（防巣部）
４…防巣部
４ａ…矩形片（防巣部）
４ａ１…長孔（防巣部）
５…開口
【図１】
2015119562.tif 000003
【図２】
2015119562.tif 000004
【図３】
2015119562.tif 000005
【図４】
2015119562.tif 000006
【図５】
2015119562.tif 000007